(57)【要約】【課題】  作業員の転落防止、資材落下防止のための仮設足場用の養生シートの張り付け作業及び取り外し作業を、少ない作業員数でもって、容易に、したがって比較的に少ない作業時間しか要せずに、確実に行うことのできる仮設足場用網状部材張り付け装置を提供すること。【解決手段】  本願の第１の態様に係る発明は、仮設足場の一対の脚柱に固定もしくは着脱自在に設けられ略鉛直方向に長軸を有する第１及び第２の収納ボックスと、前記第１の収納ボックスに収納され、軸の周りに巻きまわされ引き出し口から引き出し可能なロール状の網状部材と、前記網状部材の前記引き出し口側の辺に設けられた第１の接続部と、前記第１の収納ボックスと対向する前記第２の収納ボックスに設けられ、前記第１の接続部が着脱自在に接続する第２の接続部とを有する接続容易化手段とを備える。【選択図】図１０
2020117912.tif 000002
【特許請求の範囲】
【請求項１】
仮設足場の一対の脚柱に固定もしくは着脱自在に設けられ略鉛直方向に長軸を有する第１及び第２の収納ボックスと、
前記第１の収納ボックスに収納され、軸の周りに巻きまわされ引き出し口から引き出し可能なロール状の網状部材と、
前記網状部材の前記引き出し口側の辺に設けられた第１の接続部と、前記第１の収納ボックスと対向する前記第２の収納ボックスに設けられ、前記第１の接続部が着脱自在に接続する第２の接続部とを有する接続容易化手段と
を備えたことを特徴とする仮設足場用網状部材張り付け装置。
【請求項２】
前記第１の収納ボックス及び／もしくは第２の収納ボックスは、その直上及び／もしくはその直下の収納ボックスと連結手段によって連結されて建地補強手段を構成することを特徴とする請求項１記載の仮設足場用網状部材張り付け装置。
【請求項３】
前記第１の接続部は、矢印断面形状の長尺状部材であり、
前記第２の接続部は、前記脚柱もしくは一側足場用ブラケットに設けられ、ほぼＬ字断面形状を有する固定部と、該固定部の基部に設けられた蝶番と、一端が該蝶番に設けられた可動部と、前記固定部の基部、前記蝶番、及び前記可動部に一体的に形成され、前記可動部を前記固定部に付勢する付勢手段と、前記可動部の他端に設けられた取手部材と、前記可動部の他端の内側及び前記固定部の内壁に形成された一対の突起部と、を備えたことを特徴とする請求項１もしくは２記載の仮設足場用網状部材張り付け装置。
【請求項４】
前記第１の接続部は前記第１の収納ボックスの長手方向に設けられた板状部材に貼り付けられた面ファスナーのループもしくはフックであり、前記他方の接続部は前記網状部材の長尺状部材に設けられた面ファスナーのフックもしくはループであることを特徴とする請求項１〜３のうち１項記載の仮設足場用網状部材張り付け装置。
【請求項５】
前記第１の接続部は前記第１の収納ボックスの長手方向に設けられた板状部材の長手方向に複数配置された回転軸と、
前記各軸の端部で回動自在な複数のノブと、を備え、
前記第２の接続部は前記ノブ及び前記軸が貫通可能な貫通孔が形成された他の板状部材と、を備えたことを特徴とする請求項１〜３のうち１項記載の仮設足場用網状部材張り付け装置。
【請求項６】
前記第１の接続部は、前記網状部材の少なくとも引き出し口側に設けられたスナップボタンのオスであり、
前記第２の接続部は、少なくとも前記第１の収納ボックスの前記引き出し口側の反対側に固定された長尺状部材に設けられたスナップボタンのメスであることを特徴とする請求項１〜３のうち１項記載の仮設足場用網状部材張り付け装置。
【請求項７】
前記網状部材の前記軸には巻き取り用のコイルバネが取り付けられていることを特徴とする請求項１〜３のうち１項記載の仮設足場用網状部材張り付け装置。
【請求項８】
前記脚柱側の前記網状部材は、養生シートであり、展開時に上側の辺及び下側の近傍に紐通し用の複数の貫通孔が形成されていることを特徴とする請求項１〜３のうち１項記載の仮設足場用網状部材張り付け装置。
【請求項９】
前記第１及び第２の収納ボックスは、前記脚柱とＵ字ボルト及びナット、クランプ、溶接、もしくは接着剤によって固定されることを特徴とする請求項１〜５のうちのいずれか一項記載の仮設足場用網状部材張り付け装置。
【請求項１０】
前記一側足場用ブラケット側の前記網状部材は、転落防止用ネットであることを特徴とする請求項１〜３のうち１項記載の仮設足場用網状部材張り付け装置。
【請求項１１】
前記転落防止用ネットの中心軸は、クランクシャフトで回転可能であることを特徴とする請求項１０に記載の仮設足場用網状部材張り付け装置。
【請求項１２】
前記網状部材としての転落防止用ネットの前記第１の収納ボックス内の引き出し口の近傍には、前記転落防止用ネットを挟むようにローラ対が設けられていることを特徴とする請求項１０に記載の仮設足場用網状部材張り付け装置。
【請求項１３】
前記養生シートの上辺、下辺、もしくは上下両辺には折り返し部が設けられ、前記折り返し部には所定の間隔でスナップボタンのオスが設けられ、前記スナップボタンのオスは、前記養生シートの折り返し部の対抗する部位及び前記養生シートの下辺に前記スナップボタンのメスが設けられており、前記オスは前記メスと着脱自在に嵌合しており、前記折り返し部を開いた状態で連結するようにしたことを特徴とする請求項８に記載の仮設足場用網状部材張り付け装置。
【請求項１４】
前記養生シートは、前記第１の収納ボックスから取り外し可能であり、前記養生シートの上下左右両辺にスナップボタンのオスを所定の間隔で設けておき、予め隣接する脚柱の側壁に長手方向にＬ字断面形状の鉄板を取り付けるとともに前記鉄板に所定の間隔で前記スナップボタンのメスを設けておき、左右両辺と脚柱とを着脱自在に嵌合するようにしたことを特徴とする請求項９に記載の仮設足場用網状部材張り付け装置。
【発明の詳細な説明】
【技術分野】
【０００１】
本発明は、たとえば建設現場における仮設足場用網状部材張り付け装置に関する。
【背景技術】
【０００２】
住宅やビルディング等の躯体構造物の建設や外壁塗装や雨漏りの工事には仮設足場が用いられる。仮設足場には主に枠組足場、単管足場、ブラケット一側足場、くさび緊結式足場（「ビケ足場」（登録商標）とも言う。）、張出し足場、吊り足場、吊り棚足場、及び丸太足場等が挙げられる。
【０００３】
足場からの作業員等の落下事故防止、逆に、工事現場からの飛来物や落下物による通行人、家人、隣人等への衝突防止、仮設足場から現場内の飛来物や落下物による作業員への損傷防止のため、通常これらの仮設足場の、躯体構造物とは反対側の脚柱（「支柱」とも言う。）の列の間には、養生シート（「工事用シート」とも言う。）が張られる。
【０００４】
この養生シートは、建築工事が積層構造であることの必然から、鉛直方向に壁面を形成するように立設される構造となる。そのため、台風の際には暴風／強風を立面にて受けることになる。養生シートは主にメッシュシート等網目状に構成されるためにある程度風を通す設計になっているが、塗料や水の飛散を防ぐという役割を担うことから、かなり細かい網目を有することになる。そのため、養生シートは、風を通すとしても、風を受けてしまう事態を回避できない。この場合、多少の風なら問題はないが、台風や強風になると足場がグラグラと揺れる、というのが現実である。まして、突風／暴風／強風を養生シートが受けた場合には、これが横方向への押圧力を生み出すことで、足場倒壊などの事故を起こす例が続発している。
【０００５】
こうした事故を防ぐために、台風による突風／暴風／強風が養生シートの立面に作用する前に、風を受けないように、シートを一時的に取り去り、風による影響がなくなり次第シートの張り方を復旧する必要がある。なんとなれば、風を受けるのに任せれば倒壊の恐れを除去できない一方で、シートを外したままにしておくのであれば、本来の安全性確保（物の落下防止、作業員の転落防止）を果たせなくなることから、シートを張っておく状態を原則的に維持すべきだからである。養生シートの張り方施工は、通常、作業員が２人もしくは４人で一組となり、シートの両側を別々の作業員が保持したまま足場１スパン分離隔してシートが鉛直面に拡開された状態を作り出し、ここでシートの左右端部際の縦方向にたとえば３００ｍｍピッチで穿設されたリングに紐を通し、この紐を足場の縦材（単管足場の場合には縦単管、枠組足場の場合には枠組縦材）に括り付けることで横方向を固定し、次いでシートの上下端部際の横方向にたとえば３００ｍｍピッチで穿設されたリングに紐を通し、この紐を足場の横架材に括り付けることで上下方向を固定する、という作業を行うのが一般的である。
【０００６】
こうして仮設的に設置された養生シートを外すためには、上記と逆に、作業員が２人もしくは４人で一組となり、リングに通されて足場の縦材・横材に括り付けられた紐を一カ所ずつほどいていき、しかも、復旧時に便宜となるように、紐を紛失しないように括り付けつつシートを折りたたむ、という作業をすることになる。こうして一時的に外されたシートは、上述した事情から、ことがおわれば即時復旧させる必要が生じる。復旧には、上記の張り方作業を辿ることになる。
【０００７】
図１は、一般的な仮設足場に網状部材としての養生シートを張り付ける様子を示す図の一例である。
【０００８】
一対の敷板１の上に固定型ベース金具２を有する建枠３が縦横に設置され、建枠３の脚柱３−１間には交差筋交４が設けられている。対向する建枠３の横架座位３−２には板付き布枠５が配置されている。
【０００９】
この仮設足場１００−１に作業員２００が網状部材としての養生シートＳを張り付けようとしている。
【００１０】
養生シートＳは、通常展開時に四辺に複数の紐通し用の複数の貫通孔としてのハトメが形成されており、紐を、ハトメを通して脚柱等に結んでいる。この養生シートＳの張り付けには、別体の取付用部品が必要であり、製品管理も必要である。しかも養生シートＳの取り付けには手間がかかるうえ作業員がバランスを崩して足を踏み外すことがある。
【先行技術文献】
【特許文献】
【００１１】
【特許文献１】特開２０１８−１２９７９号公報
【発明の概要】
【発明が解決しようとする課題】
【００１２】
特許文献１に記載の発明は、作業員（特に鳶職人）が仮設足場の上に乗り、養生シートのシート体の上下左右各外周辺のベルト群を脚柱や布材に締結しなければならないが、ベルト群の脚柱や横部材との締結時に左右の脚柱へのベルト群の締結がされていれば作業員がバランスを崩しても転落することは考えにくい。しかしながら、左右の脚柱へのベルト締結にはベルト数だけ手間や時間がかかり、左右の脚柱へのベルトの締結が終了する前に作業員がバランスを崩した場合にその時点では作業員を支えるものが無いため転落したり、資材が落下したり、それらが通行人に落下したりするおそれがある。
【００１３】
こうした足場の張り方―外し方―再度の張り方、という一連の作業は、台風等の発生時のみならず、たとえば、近所の花火大会のための視界確保などといった、種々の社会的要請によっても要請されるが、１回の、外し―再度の張り、という動作には、上記のような作業手間がかかるだけではなく、安全性確保の観点から遺漏のない施工が必要であることから、養生や復旧の作業が煩雑となり、これが作業負担の増大、ひいてはコスト高を招いていた、という問題点があった。
【００１４】
一方、足場は、たとえば、建設業労働災害防止協会「足場の組立て等作業の安全」にも示されるように、一定の高さを超えた足場の場合には、建地の最後部から測って当該一定の高さを超える部分の建地には、たとえば鋼管２本組とするような建地補強が必要とされている。そこで、上記の問題点への解決手段を考えるに当たっては、上記台風等非常時対応の作業負担の増大の視点とこの建地補強の視点とを重畳的に入れたものも考えるとなお好適である。
【００１５】
本願は上述したような問題点の解決を企図したものであり、一義的に、作業員の転落防止、資材落下防止のための仮設足場用の養生シートの張り付け作業及び取り外し作業を、少ない作業員数でもって、容易に、したがって比較的に少ない作業時間しか要せずに、確実に行うことのできる仮設足場用網状部材張り付け装置を提供することをその目的とする。
【００１６】
本願の二義的な目的は、少ない作業員数でもって、容易に、したがって比較的に少ない作業時間しか要せずに、確実に行うことのでき、かつ、足場の建地補強を兼ねることのできる仮設足場用網状部材張り付け装置を提供することである。
【課題を解決するための手段】
【００１７】
上記課題を解決するため、本願の第１の態様に係る発明は、仮設足場の一対の脚柱に固定もしくは着脱自在に設けられ略鉛直方向に長軸を有する第１及び第２の収納ボックスと、前記第１の収納ボックスに収納され、軸の周りに巻きまわされ引き出し口から引き出し可能なロール状の網状部材と、前記網状部材の前記引き出し口側の辺に設けられた第１の接続部と、前記第１の収納ボックスと対向する前記第２の収納ボックスに設けられ、前記第１の接続部が着脱自在に接続する第２の接続部とを有する接続容易化手段とを備えたことを特徴とする。
【００１８】
ここで、網状部材とは、建築工事用の養生シートや転落防止用ネット等の網を含む部材である。また、接続部は、網状部材が収納ボックスに巻き込まれるのを防止する機能を有する。
【００１９】
上記態様によれば、第１の接続部と第２の接続部とを備える接続容易化手段によって、網状部材の張り方作業、張られた網状部材の撤収作業がワンタッチ作業によってなし得ることになり、このため、この作業を専門職種が行う場合には、これまでの作業に比して格段に素早くできることとなり、特に台風等の自然災害が目前に迫っているなどの緊急性を要する場合に便宜となる。また、当然、作業効率が上がるために、作業コストの減少につながる。さらに、上記ワンタッチ作業は作業内容として簡易となるため、専門職種でない者も上記仮設作業を行うことができることとなり、建築現場での仮設工事の施工容易性をもたらす。
【００２０】
本願の第２の態様に係る発明は、第１の態様に係る構成において、前記第１の収納ボックス及び／もしくは第２の収納ボックスは、その直上及び／もしくはその直下の収納ボックスと連結手段によって連結されて建地補強手段を構成することを特徴とする。
【００２１】
この第２の態様によれば、第１の態様の第１の収納ボックス及び／もしくは第２の収納ボックスが連結手段によって連結されることで、併せて建地補強手段として機能するために、所定の高さを超える足場の仮設工事においても、別途建地補強材を設けることを要せず、上記第１の態様における収納ボックスの連結体をもってそれに換えること、すなわち、収納ボックスの連結体を建地補強手段として兼用させることができる。これにより、施工手間の軽減、工期の短縮、コストの軽減がなされることになる。
【００２２】
本願の第３の態様に係る発明は、第１もしくは第２の態様において、前記第１の接続部は、矢印断面形状の長尺状部材であり、前記第２の接続部は、前記脚柱もしくは一側足場用ブラケットに設けられ、ほぼＬ字断面形状を有する固定部と、該固定部の基部に設けられた蝶番と、一端が該蝶番に設けられた可動部と、前記固定部の基部、前記蝶番、及び前記可動部に一体的に形成され、前記可動部を前記固定部に付勢する付勢手段と、前記可動部の他端に設けられた取手部材と、前記可動部の他端の内側及び前記固定部の内壁に形成された一対の突起部と、を備えたことを特徴とする。
【００２３】
本願の第４の態様に係る発明は、第１〜第３のうちのいずれかの態様において、前記第１の接続部は前記第１の収納ボックスの長手方向に設けられた板状部材に貼り付けられた面ファスナーのループもしくはフックであり、前記他方の接続部は前記網状部材の長尺状部材に設けられた面ファスナーのフックもしくはループであることを特徴とする。
【００２４】
本願の第５の態様に係る発明は、第１〜第３のうちのいずれかの態様において、前記第１の接続部は前記第１の収納ボックスの長手方向に設けられた板状部材の長手方向に複数配置された回転軸と、前記各軸の端部で回動自在な複数のノブと、を備え、前記第２の接続部は前記ノブ及び前記軸が貫通可能な貫通孔が形成された他の板状部材と、を備えたことを特徴とする。
【００２５】
本願の第６の態様に係る発明は、第１〜第３のうちのいずれかの態様において、前記第１の接続部は、前記網状部材の少なくとも引き出し口側に設けられたスナップボタンのオスであり、前記第２の接続部は、少なくとも前記第１の収納ボックスの前記引き出し口側の反対側に固定された長尺状部材に設けられたスナップボタンのメスであることを特徴とする。
【００２６】
ここで、養生シートの少なくとも引き出し口側とは、養生シートの上下両辺を含むことを意味する。
【００２７】
本願の第７の態様に係る発明は、第１〜第３のうちのいずれかの態様において、前記網状部材の前記軸には巻き取り用のコイルバネが取り付けられていることを特徴とする。
【００２８】
本願の第８の態様に係る発明は、第１〜第３のうちのいずれかの態様において、前記脚柱側の前記網状部材は、養生シートであり、展開時に上側の辺及び下側の近傍に紐通し用の複数の貫通孔が形成されていることを特徴とする。
【００２９】
本願の第９の態様に係る発明は、第１〜第５のうちのいずれかの態様において、前記第１及び第２の収納ボックスは、前記脚柱とＵ字ボルト及びナット、クランプ、溶接、もしくは接着剤によって固定されることを特徴とする。
【００３０】
本願の第１０の態様に係る発明は、第１〜第３のうちのいずれかの態様において、前記一側足場用ブラケット側の前記網状部材は、転落防止用ネットであることを特徴とする。
【００３１】
ここで、転落防止用ネットは、例えば、網目サイズが１０ｍｍ〜３０ｍｍであって、材質はナイロン製もしくはポリエステル製が挙げられる。
【００３２】
本願の第１１の態様に係る発明は、第１０の態様において、前記転落防止用ネットの中心軸は、クランクシャフトで回転可能であることを特徴とする。
【００３３】
本願の第１２の態様に係る発明は、第１０の態様において、前記網状部材としての転落防止用ネットの前記第１の収納ボックス内の引き出し口の近傍には、前記転落防止用ネットを挟むようにローラ対が設けられていることを特徴とする。
【００３４】
本願の第１３の態様に係る発明は、第８の態様において、前記養生シートの上辺、下辺、もしくは上下両辺には折り返し部が設けられ、前記折り返し部には所定の間隔でスナップボタンのオスが設けられ、前記スナップボタンのオスは、前記養生シートの折り返し部の対抗する部位及び前記養生シートの下辺に前記スナップボタンのメスが設けられており、前記オスは前記メスと着脱自在に嵌合しており、前記折り返し部を開いた状態で連結するようにしたことを特徴とする。
【００３５】
本願の第１４の態様に係る発明は、第９の態様において、前記養生シートは、前記第１の収納ボックスから取り外し可能であり、前記養生シートの上下左右両辺にスナップボタンのオスを所定の間隔で設けておき、予め隣接する脚柱の側壁に長手方向にＬ字断面形状の鉄板を取り付けるとともに前記鉄板に所定の間隔で前記スナップボタンのメスを設けておき、左右両辺と脚柱とを着脱自在に嵌合するようにしたことを特徴とする。
【発明の効果】
【００３６】
本発明の一態様によれば、作業員の転落防止、資材落下防止のための仮設足場用の養生シートの張り付け作業及び取り外し作業を、少ない作業員数でもって、容易に、したがって比較的に少ない作業時間しか要せずに、確実に行うことが可能となる。
【００３７】
また、本発明の別態様によれば、少ない作業員数でもって、容易に、したがって比較的に少ない作業時間しか要せずに、確実に行うことのでき、かつ、足場の建地補強を兼ねることのできる仮設足場用網状部材張り付け装置が実現される。
【図面の簡単な説明】
【００３８】
【図１】一般的な仮設足場に網状部材としての養生シートを張り付ける様子を示す図の一例である。
【図２】一般的な仮設足場に本発明に係る仮設足場用網状部材張り付け装置を装着した状態を示す外観斜視図の一例である。
【図３Ａ】図２に示した仮設足場に本発明に係る仮設足場用網状部材張り付け装置を装着したときの平面図の一例である。
【図３Ｂ】図２に示した仮設足場に本発明に係る仮設足場用網状部材張り付け装置を装着したときの正面図の一例である。
【図３Ｃ】図２に示した仮設足場に本発明に係る仮設足場用網状部材張り付け装置を装着したときの側面図の一例である。
【図３Ｄ】図２に示した仮設足場に用いられる板付き布枠の平面図の一例である。
【図３Ｅ】図２に示した仮設足場に用いられる板付き布枠の側面図の一例である。
【図４Ａ】図２に示した仮設足場用網状部材張り付け装置の頭部付近の概念図の一例である。
【図４Ｂ】図４Ａに示した仮設足場用網状部材張り付け装置の接続部の接続状態を説明するための平面図である。
【図５】図２に示した仮設足場用網状部材張り付け装置の頭部付近の概念図の他の一例である。
【図６Ａ】図２に示した仮設足場用網状部材張り付け装置の頭部付近の概念図の他の一例である。
【図６Ｂ】図６Ａに示した仮設足場用網状部材張り付け装置の接続部の接続状態の説明図である。
【図７】図４Ａに示した仮設足場用網状部材張り付け装置の収納ボックスの脚柱への固定手段の変形例を示す図である。
【図８】図４Ａに示した仮設足場用網状部材張り付け装置の収納ボックスの脚柱への固定手段の他の変形例を示す図である。
【図９】図２に示した仮設足場用網状部材張り付け装置における網状部材としての養生シートを作業員が展開する前の状態を示す説明図である。
【図１０】図２に示した仮設足場用網状部材張り付け装置における網状部材としての養生シートを作業員が展開中の状態を示す説明図である。
【図１１】図２に示した仮設足場用網状部材張り付け装置における網状部材としての養生シートを作業員が展開した後の状態を示す説明図である。
【図１２】図２に示した仮設足場用網状部材張り付け装置における網状部材としての養生シートを作業員が展開した後の状態を作業員側から見た状態を示す説明図である。
【図１３】図２に示した仮設足場用網状部材張り付け装置における網状部材としての養生シートの上下両辺に設けられた貫通孔を紐部材で閉じた状態を示す説明図である。
【図１４】本発明に係る仮設足場用網状部材張り付け装置の他の実施の形態に用いられる一側足場用ブラケットの外観斜視図の一例を示す図である。
【図１５】図２に示した仮設足場に本発明に係る仮設足場用網状部材張り付け装置の他の実施の形態を装着した状態を示す側面図の一例を示す図である。
【図１６】図２に示した仮設足場に本発明に係る仮設足場用網状部材張り付け装置の他の実施の形態を装着した状態を示す平面図の一例を示す図である。
【図１７】図１５に示した仮設足場用網状部材張り付け装置における網状部材としての転落防止用ネットの接続部の説明図の一例を示す図である。
【図１８】図１７に示した仮設足場用網状部材張り付け装置における網状部材としての転落防止用ネットの接続部を解除した状態を示す側面図の一例を示す図である。
【図１９】図１７に示した仮設足場用網状部材張り付け装置における網状部材としての転落防止用ネットを巻き上げについての説明図の一例を示す図である。
【図２０】図１８に示した仮設足場用網状部材張り付け装置における網状部材としての転落防止用ネットを巻き上げた後の状態を示す側面図の一例を示す図である。
【図２１】図２に示した仮設足場に本発明に係る仮設足場用網状部材張り付け装置の変形例を示す図である。
【図２２】図２１のＸＸＩＩ−ＸＸＩＩ線断面図である。
【図２３】図２１に示した養生シート１１−１−１と養生シート１１−１−２とを連結した状態を示す図である。
【図２４】図２に示した仮設足場に本発明に係る仮設足場用網状部材張り付け装置の他の変形例を示す図である。
【発明を実施するための形態】
【００３９】
＜＜仮設足場及び張り付け装置＞＞
図２は、一般的な仮設足場に本発明に係る仮設足場用網状部材張り付け装置を装着した状態を示す外観斜視図の一例である。
【００４０】
図２に示す仮設足場１００−２は、通常の仮設足場１００−１の対向する脚柱３−１に仮設足場用網状部材張り付け装置としての養生シート張り付け装置１１、１２が取り付けられ、両養生シート張り付け装置１１、１２間に網状部材としての養生シート１１−１が張り付けられ、上下両辺のハトメに紐が結ばれたものである。
【００４１】
ここで、網状部材は、養生シートであり、後述するように展開時に上側の辺及び下側の近傍に紐通し用の複数の貫通孔が形成されている。
【００４２】
以下、養生シート張り付け装置１１、１２、２１、２２、３１、３２の符号は説明のため分けて付与した。すなわち、実際の仮設足場の躯体構造物と反対側の脚柱３−１には、例えば張り付け装置１１が取り付けられることになる。養生シート張り付け装置１１、１２、２１、２２、３１、３２の構成は最端部に用いる以外は原則として同一である。
【００４３】
養生シート張り付け装置１１、１２は、脚柱３−１に取り付けられた収納ボックスと、収納ボックス内に軸の周りに巻き回され引き出し口１１−８から引き出し可能なロール状の網状部材としての養生シートと、養生シートと収納ボックスとを着脱自在に接続する接続部と、を備えたものである。この接続部は一方の接続部と他方の接続部とを備えてなり、両者接続部が接続容易化手段を構成する。
【００４４】
＜張り付け装置平面図＞
図３Ａは、図２に示した仮設足場に本発明に係る仮設足場用網状部材張り付け装置を装着したときの平面図の一例である。
【００４５】
対向して配置される各建枠３の躯体構造物側と、躯体構造物とは反対側には、図には示されない交差筋交がそれぞれ設けられることで自立している。両建枠３の補剛材（水平補剛材）６には板付き布枠５のつかみ金具５−３が腕木６を把持している。両建枠３間に水平に配置された板付き布枠５の床板５−１上を作業員が歩くことができるようになっている。
【００４６】
脚柱３−１のうち躯体構造物とは反対側の脚柱３−１に養生シート張り付け装置１１、１２がＵ字ボルト１３−１、１４−１を用いて固定されている。養生シート張り付け装置１１、１２は、両者とも構造は同一であるが、説明のため異なる番号を付与した。
【００４７】
養生シート張り付け装置１１の収納ボックス１１−７内には、軸の周りに巻き回され引き出し口１１−８から引き出し可能なロール状の網状部材としての建築工事用養生シート（以下、養生シートと記す。）１１−１が収納されている。養生シート１１−１は、メッシュシート、オレンジシート、防炎シート、ホワイトシート、ブルーシート、コロナシート、ポリシート、及びポリエチレンシートのいずれであってもよいが、メッシュシートが好ましい。
【００４８】
ロール状の養生シート１１−１の巻き終わり側、すなわち引き出し口１１−８側の辺には、一方の接続部としての接続部１１−２ａが設けられている。接続部１１−２ａは、ほぼ矢印断面形状に形成されており、材質には金属（アルミニウム、ステンレス、合金）もしくはポリカーボネート等の樹脂が用いられる。
【００４９】
接続部１１-２ａは、養生シート張り付け装置１２の収納ボックス１２−７に設けられた、後述する他方の接続部としての接続部１２−４の中に挿入された状態で接続されている。収納ボックス１１−７の引き出し口１１−８及び収納ボックス１２の接続部１２−４は、仮設足場に近い位置に配置されることが好ましい。
【００５０】
＜養生シート張り付け装置正面図＞
図３Ｂは、図２に示した仮設足場に本発明に係る仮設足場用網状部材張り付け装置を装着したときの正面図の一例である。
【００５１】
養生シート張り付け装置１１、１２の鉛直方向の長さはほぼ脚柱３−１の長さに等しく、養生シート１１−１の長さは建枠３の配置される間隔にほぼ等しい。
【００５２】
養生シート張り付け装置１１から養生シート張り付け装置１２に引き渡されており、養生シート１１−１の接続部１１−４と、養生シート張り付け装置１２の接続部１２−４とが接続されている。養生シート１１−１の上下両辺には紐付け用のハトメ１１−５が複数形成されている。収納ボックス１１−７、１２−７の上下両端部は脚柱３−１にＵ字ボルト１４−１、１４−２を用いて固定されている。
【００５３】
＜養生シート張り付け装置側面図＞
図３Ｃは、図２に示した仮設足場に本発明に係る仮設足場用網状部材張り付け装置を装着したときの側面図の一例である。
【００５４】
建枠３は、鉛直に配置される一対の脚柱３−１と、両脚柱３−１の頂点間に水平に橋渡しするように接合された横架材３−２と、両脚柱３−１の内側に両脚柱３−１に沿うように接合されたＪ字形状の補剛材３−６と、横架材３-２と並行に横架材３−２の下側に両補剛材３−６にかけ渡された補剛材（水平補剛材）３−３と、両脚柱３−１と水平補剛材３−３との間に接合された補剛材（水平補剛材）３−４と、両脚柱３−１の内側に設けられた交差筋交ピン３−５と、を備えて構成されている。建枠３のサイズは、例えば６１０×１７００ｍｍ、９１４ｍｍ×１７００ｍｍ、１２１９×１７００ｍｍが挙げられる。
【００５５】
建枠３の躯体構造物とは反対側となる脚柱３−１に養生シート張り付け装置１１、１２が鉛直になるように装着されている。
【００５６】
＜板付き布枠＞
図３Ｄは、図２に示した仮設足場に用いられる板付き布枠の平面図の一例である。図３Ｅは、図２に示した仮設足場に用いられる板付き布枠の側面図の一例である。
【００５７】
板付き布枠５は、矩形状に形成された床材５−１と、床材５−１を覆うように形成された矩形状の布材５−２と、布材５−２の両縁に一対ずつ設けられ建枠３の横架材３−２に係合するつかみ金具５−３と、つかみ金具５−３の近傍に設けられた外止め５-４と、を備えて構成されている。板付き布枠５のサイズは、例えば２４０×９１４ｍｍ、５００ｍｍ×９１４ｍｍ、２４０ｍｍ×１２１９ｍｍ、…、５００×１８２９ｍｍと多様である。
【００５８】
＜養生シート張り付け装置１の頭部付近＞
図４Ａは、図２に示した仮設足場用網状部材張り付け装置の頭部付近の概念図の一例である。尚、図４Ａでは接続部１２−４の上端は開口端となっているが、図示しない下端も閉口端としてもよい。接続部１２−４の上端及び下端が閉口端の場合には、接続部１１−２が接続部１２-４に対して接続後に下方にずれるのが防止される。
【００５９】
養生シート張り付け装置１１は、引き出し口１１−８が形成された収納ボックス１１−７と、収納ボックス１１−７内に軸の周りに巻きまわされ着脱自在で引き出し口１１−８から引き出し可能なロール状の養生シート１１−１と、養生シート１１−１の中心軸１１−９と係合して養生シート１１-１を巻き戻す方向に付勢する巻取り用のコイルバネ１１−１０と、ロール状の養生シート１１−１の巻き終わり側の辺に設けられた一方の接続部としての矢印断面形状の接続部１１−２と、収納ボックス１１−７の引き出し口１１−８と反対側に設けられた他方の接続部としての接続部１１−４と、を備えて構成されている。
【００６０】
養生シート張り付け装置１２は、養生シート張り付け装置１１と同一構造であるが、説明のため符号を変えてある。尚、養生シート張り付け装置１２は、最端部の脚柱３−１に取り付ける場合であって、養生シート１２−１を張る必要が無い場合には、収納ボックス１２−７内には養生シート１２−１を収納する必要はない。
【００６１】
養生シート１１−１の接続部１１−２の内側の上端及び中端に取手部材１１−６が設けられている。この取手部材１１−６は作業員が仮設足場内で養生シート張り付け作業を容易にするためのものである。
【００６２】
養生シート張り付け装置１１の脚柱３への固定手段としては、例えばＵ字ボルト１３−１と、Ｕ字ボルト１３−１のネジ部１３−１ａが貫通可能な貫通孔が形成されたプレート１３−２と、スプリングワッシャ１３−３と、ナット１３−４とが用いられる。
【００６３】
収納ボックス１１、１２内に収納された養生シート１１−１、１２−１は、例えば収納ボックス１１−７、１２−７の破線１１−１１、１２−１１から上の部分が外せるように構成し、養生シート１１−１、１２−１を取り外して交換できるようにしてもよい。
【００６４】
養生シート１１−１、１２−１は、広告や標語を掲載したり、反射材や夜光塗料を塗布したり、色分けしたり、風景や完成後のイメージを印刷したりしてもよい。
【００６５】
＜接続部平面図＞
図４Ｂは、図４Ａに示した仮設足場用網状部材張り付け装置の接続部の接続状態を説明するための平面図である。
【００６６】
接続部１２−４は、ほぼＬ字断面形状を有する固定部１２−４ａと、固定部１２−４ａの基部１２−４ａａに設けられた蝶番１２−４ｂと、一端が蝶番１２−４ｂに設けられた可動部１２−４ｃと、固定部１２−４ａの基部１２−４ａａ、蝶番１２−４ｂ、及び可動部１２−４ｃに一体的に形成され、可動部１２−４ｃを固定部１２−４ａに付勢する付勢手段としてのつる巻バネ１２−４ｇと、可動部１２−４ｃの他端に設けられた取手部材１２−４ｄと、可動部１２−４ｃの他端の内側及び固定部１２−４ａの内壁に形成された一対の突起部１２−４ｅ、１２−４ｆと、を備えて構成される。接続部１２−４の材質としては、金属（アルミニウム、ステンレス、合金）もしくはポリカーボネート等の樹脂が挙げられる。
【００６７】
＜接続状態説明図＞
図４Ｂの左から右に向かって説明する。図示しない作業員が養生シート１１−１の接続部１１−２の取手部材１１−６を掴んで接続部１１−２を接続部１２−４に挿入しようとしている（左の図）。
【００６８】
図示しない作業員が接続部１１−２の取手部材１１−６を掴んで接続部１２−４の開口部に向かって押すと、可動部１２−４ｃが矢印Ｐ１方向に回動する（中央の図）。
【００６９】
図示しない作業員がさらに接続部１１−２の取手部材１１−６を接続部１２−４の開口部に押し進めると、可動部１２−４ｃは、つる巻きバネ１２−４ｇによって内側に付勢されるので、矢印Ｐ２方向に回動して閉じるので、接続部１１−２は接続部１２−４に接続される。接続部１２-４に接続された接続部１１−２の接続を解除するには接続部１２−４の取手部材１２−４ｄを手前に引っ張ればよい(右の図)。
【００７０】
＜養生シート張り付け装置２の頭部付近＞
図５は、図２に示した仮設足場用網状部材張り付け装置の頭部付近の概念図の他の一例である。
【００７１】
図５に示した養生シート張り付け装置２１、２２の図４Ａに示した養生シート張り付け装置１１，１２との相違点は、接続部２１−２、２１−４にマジックテープ（登録商標）やマジロック（登録商標）等の面ファスナーを用いた点である。
【００７２】
接続部２１−２は、収納ボックス２１−７の長手方向に設けられた板状部材２１−４ａに貼り付けられた面ファスナー２１−４ｂのループ（もしくはフック）であり、接続部２１−４は養生シート１１−１の長尺状部材２１−２ａに設けられた面ファスナー２１−２ｂのフック（もしくはループ）である。
【００７３】
板状部材２１−２ａは、樹脂もしくは金属からなる長尺状の部材であり、板状部材２１−２ａの上端及び中端に取手部材２１−６が設けられている。板状部材２１−４ａは、例えば台形断面形状の部材であり、樹脂もしくは空洞状の金属からなり、接続部２１−２に対向する面に面ファスナー２１−４ｂが貼り付けられている。
【００７４】
＜養生シート張り付け装置３の頭部付近＞
図６Ａは、図２に示した仮設足場用網状部材張り付け装置の頭部付近の概念図の他の一例である。
【００７５】
図６Ａに示した養生シート張り付け装置３１、３２と図４Ａに示した養生シート張り付け装置１１、１２との相違点は、接続部３１−２、３１−４に回転式留め具を用いた点である。
【００７６】
接続部３１−２は、ロール状の養生シート１１−１の巻き終わり側の辺に設けられ、所定の間隔で複数の貫通孔３１−２ｂが形成された板状部材３１−２ａである。接続部３１−２は、金属もしくは樹脂で形成されている。
【００７７】
接続部３１−４は、収納ボックス３１−７の引き出し口３１−８と反対側の面に設けられており、他の板状部材としての例えば台形断面形状の板状部材３１−４ａと、板状部材３１−４ａに設けられ、複数配置された回転軸３１−４ｂ、及び回転軸３１−４ｂの頭部に設けられたノブ３１−４ｃ、とを備えた回転式留め具３１−４ｄとで構成される。接続部３１−４は、金属もしくは樹脂で形成されている。回転軸３１−４ｂ及びノブ３１−４ｃの数は貫通孔３１−２ｂと同数かそれ以下であることは言うまでもない。
【００７８】
図６Ｂは、図６Ａに示した仮設足場用網状部材張り付け装置の接続部の接続状態の説明図である。
【００７９】
作業員が養生シート１１−１の左端に設けられた接続部３１−２の貫通孔３１−２ｂに、予めノブ３１−４ｃが水平状態に設定された接続部３１−４の回転式留め具３１−４ｄを挿入し、ノブ３１−４ｃを矢印Ｐ３方向に回すと接続部３１−２が接続部３１−４にロックされる。ロックを解除するにはノブ３１−４ｃを矢印Ｐ３方向とは逆に回せばよい。
【００８０】
＜収納ボックスの脚柱への固定の変形例１＞
図７は、図４Ａに示した仮設足場用網状部材張り付け装置の収納ボックスの脚柱への固定手段の変形例である。
【００８１】
図７に示した固定手段の図４Ａに示した固定手段との相違点は、Ｕ字ボルト１３−１、１４−１の代わりにクランプ７０を用いた点である。
【００８２】
固定手段としてのクランプ７０は、養生シート張り付け装置１１（１２）の収納ボックス１１−７（１２−７）の背面に固定された固定部７１、固定部７１の一方の軸７６に回動自在に設けられた可動部７２、固定部７１の他方の軸７５に一端が回動自在に設けられたボルト７３、及びボルト７３に螺合されたナット７４で構成されている。このようなクランプ７０を用いることで作業性が向上する。
【００８３】
＜収納ボックスの脚柱への固定の変形例２＞
図８は、図４Ａに示した仮設足場用網状部材張り付け装置の収納ボックスの脚柱への固定手段の他の変形例である。
【００８４】
図８に示した固定手段の図４Ａに示した固定手段との相違点は、Ｕ字ボルト１３−１、１４−１の代わりに接着剤もしくは溶接を用いた点である。
【００８５】
固定手段としての接着剤８０は、養生シート張り付け装置１１（１２）の収納ボックス１１−７（１２−７）の背面と脚柱３−１との間に塗布されたものである。接着剤を用いる代わりに溶接を用いてもよい。
【００８６】
＜養生シート張り付け装置の装着＞
図９は、図２に示した仮設足場用網状部材張り付け装置における網状部材としての養生シートを作業員が展開する前の状態を示す説明図であり、図１０は、図２に示した仮設足場用網状部材張り付け装置における網状部材としての養生シートを作業員が展開中の状態を示す説明図であり、図１１は、図２に示した仮設足場用網状部材張り付け装置における網状部材としての養生シートを作業員が展開した後の状態を示す説明図である。図１２は、図２に示した仮設足場用網状部材張り付け装置における網状部材としての養生シートを作業員が展開した後の状態を作業員側から見た状態を示す説明図であり、図１３は、図２に示した仮設足場用網状部材張り付け装置における網状部材としての養生シートの上下両辺に設けられた貫通孔を紐部材で閉じた状態を示す説明図である。なお、図９及び図１３では寸法の一例が示されているが、本願に係る技術思想は当該寸法に限定されることなく適用・実施可能である。したがって、図９及び図１３に示すものは本願に係る技術思想を実施するための単なる一例として理解されるべきである。
【００８７】
図９に示すように作業員２００が仮設足場内で収納ボックス１１−７の引き出し口から、矢印Ｐ４方向に接続部１１−２を引き出している。この場合、養生シート１１−１の左端部分の紐を結ぶ作業は不要となる。
【００８８】
図１０に示すように作業員２００は収納ボックス１１−７から養生シート１１−１を引き出したらそのまま矢印Ｐ５方向に引き、接続部１１−２を収納ボックス１２−７の接続部１２−４に挿入すれば、図１１に示すように養生シート１１−１が仮設足場に装着される。但し、このままでは、養生シート１１−１が撓んだままになるので、各ハトメ１１−５に紐を通して仮設足場に留める必要がある。
【００８９】
図１２に示すように養生シート１１−１が一旦両収納ボックス１１、１２間に展開されて装着された場合は、作業員２００と外部との間には交差筋交４だけでなく、養生シート１１−１が存在するので、仮設足場から外部への転落が防止され、養生シート１１−１のハトメ１１−５と仮設足場との紐付け作業（図１３）は通常の養生シートの場合の半分程度の時間で済むので、安全性と作業効率が向上する。
【００９０】
＜＜転落防止用ネット張り付け装置＞＞
＜一側足場用ブラケット＞
図１４は、本発明に係る仮設足場用網状部材張り付け装置の他の実施の形態に用いられる一側足場用ブラケットの外観斜視図の一例である。
【００９１】
一側足場用ブラケット４０は、例えばメインフレーム４１と、メインフレーム４１に設けられた支持部材４３と、支持部材４３に設けられたサブフレーム４２と、メインフレーム４１の両端に設けられたクランプ４４、４５と、サブフレーム４２の下端に設けられたクランプ４６と、を備えて構成される。
【００９２】
＜転落防止用ネット張り付け装置一側足場用ブラケット装着状態側面図＞
図１５は、図２に示した仮設足場に本発明に係る仮設足場用網状部材張り付け装置の他の実施の形態を装着した状態を示す側面図の一例である。
【００９３】
躯体構造物の前に建枠３が二段積みされており、建枠３の躯体構造物とは反対側に張り付け装置１１の収納ボックス１１−７が装着されている。建枠３の躯体構造物側には板付き布枠５に沿って、一側足場用ブラケット４０が装着されている。一側足場用ブラケット４０の上には、仮設足場用網状部材張り付け装置としての転落防止用ネット張り付け装置５０が装着されている。
【００９４】
なお、図１５の図示とは若干異なるが、同図のうち、上側の張り付け装置１１と下側の張り付け装置１１とを連結部（図示しない）によって連結させ、さらに、下側の張り付け装置１１の下端を地面に接地させる、もしくは強固にグランドとの接続をとるように構成することで、この張り付け装置１１―張り付け装置１１の連結体が全体として、建地補強部として機能するようにすることができる。この場合、張り付け装置１１は２連結に限られることなく、足場の原則的な高さ制限（たとえば、ブラケット単管一側足場の場合には１５ｍ以下、単管足場の場合には３１ｍ以下、低層工事用簡易枠組足場の場合には５．７ｍ以下、簡易枠組足場の場合には４５ｍ以下、標準枠組足場の場合には４５ｍ以下）を超える足場の必要寸法分以上を上記建地補強部とすることで、上記高さ制限を超える足場の安全施工・設置を現実化することができる（他の図においても同様）。
【００９５】
図１６は、図２に示した仮設足場に本発明に係る仮設足場用網状部材張り付け装置の他の実施の形態を装着した状態を示す平面図の一例である。
【００９６】
各一側足場用ブラケット上に設けられた転落防止用ネット張り付け装置５０間に、一側足場用ブラケット側の網状部材としての転落防止用ネット５１が張り渡されている。
【００９７】
図１７は、図１５に示した仮設足場用網状部材張り付け装置における網状部材としての転落防止用ネットの接続部の説明図の一例である。
【００９８】
転落防止用ネット張り付け装置５０は、５０−１、５０−２の符号が付与されているが、これは説明上付与したものであり、両者とも構成は同一である。
【００９９】
転落防止用ネット張り付け装置５０−１は、収納ボックス５０−１ａと、収納ボックス５０−１ａの引き出し口５０−１ｂと、収納ボックス５０−１ａ内に設けられ回転可能な回転軸５４−１と、回転軸５４−１の一端（図では手前側）に設けられたアイボルト５５−１と、回転軸５４−１の周りに巻き回された転落防止用ネット５１−１と、転落防止用ネット５１−１の巻き終わり側に設けられた接続部５２−１と、収納ボックス５０−１ａの引き出し口５０−１ｂの反対側の面に設けられた接続部５３−１と、を備えている。
【０１００】
収納ボックス５０−１ａ内の引き出し口５０−１ｂの近傍には転落防止用ネット５１−１を挟むようにローラ対５４ａ−１、５４ｂ−１を設けてもよい。ローラ対５４ａ−１、５４ｂ−１は、転落防止用ネット５１−１の引き出し及び巻き戻しをスムーズにするためのものである。ローラ対５４ａ−１、５４ｂ−１の材質は、例えば、エチレンプロピレンジエンゴム、イソプレンゴム、ブチルゴム、ブタジエンラバー、スチレン・ブタジエンゴム、クロロプレンゴム、クロロスルフォン化ポリエチレン、ウレタンゴム、エピクロルヒドリンゴムが挙げられる。
【０１０１】
接続部５２−１、５３−１は、図４Ｂに示した接続部１１−２、１２−４と同様に、接続部５２−１を矢印Ｐ６方向に収納ボックス５０−１ａから引き出し、接続部５３−２に挿入することで接続される。接続部５２−１、５３−１の構造については、図４Ｂに示した接続部１１−２、１２−４と同様のため説明を省略する。また、収納ボックス５０−２ａも収納ボックス５０−１ａと同様のため説明を省略する。
【０１０２】
図１８は、図１７に示した仮設足場用網状部材張り付け装置における網状部材としての転落防止用ネットの接続部を解除した状態を示す側面図の一例であり、図１９は、図１７に示した仮設足場用網状部材張り付け装置における網状部材としての転落防止用ネットの巻き上げについての説明図の一例であり、図２０は、図１８に示した仮設足場用網状部材張り付け装置における網状部材としての転落防止用ネットを巻き上げた後の状態を示す側面図の一例である。
【０１０３】
工事が終了して仮設足場を分解する際には、図１８に示すように接続部５２−１，５３−２の接続を解除すると、転落防止用ネット５１は接続部５２−１が錘となって大地に横たわる。
【０１０４】
図１９に示すようにアイボルト５５にクランクシャフト６０の湾曲部を挿入し、矢印Ｐ７方向に回転させることで転落防止用ネット５１が巻き上げられて、図２０に示すように収納ボックス５０−１ａの引き出し口５０−１ｂに接続部５２−１が到達する。
【０１０５】
＜変形例１＞
尚、上述した実施の形態は、本発明の好適な実施の形態の一例を示すものであり、本発明はそれに限定されることなく、その要旨を逸脱しない範囲内において、種々変形実施が可能である。上述した実施の形態では、回転式留め具を用いた場合で説明したが、本発明は、これに限定されるものではなく、ロック式ピンを用いてもよい。
【０１０６】
また、転落防止用ネット張り付け装置は、クランクシャフトによる転落防止用ネットの巻き上げに限定されるものではなく、巻き取り用のコイルバネを用いて構成してもよい。さらに、上述した実施の形態では養生ネットを仮設足場に固定する際にハトメと紐を用いた場合で説明したが、本発明はこれに限定されるものではなく、ボタンで着脱自在に固定するように構成してもよい。
【０１０７】
さらに、上述した実施の形態では、養生シートの接続部に種々の手段を用いたが、本発明はこれらに限定されるものではなく、面ファスナーの代わり図２１に示すようにボタン（例えばスナップボタン）で接続するように構成してもよい。
【０１０８】
図２１は、図２に示した仮設足場に本発明に係る仮設足場用網状部材張り付け装置の変形例である。
【０１０９】
図２１に示す養生シート１１−１−１の上下両辺及び引き出し口側にはスナップボタン９０のオスが設けられており、収納ボックス１２及び仮設足場の板付き布枠５に予めスナップボタン９０のメスが設けられている。収納ボックス１２の引き出し口とは反対側の面には長尺状部材（例えば、鉄からなりＬ字断面形状の長尺状部材）が溶接等で固定され、スナップボタン９０のメスが取り付けられている。これらの長尺状部材側のスナップボタン９０のメスには養生シート１１−１−１側のスナップボタンのオスが着脱自在に嵌合されるようになっている。これらスナップボタンの嵌合により、養生シート１１−１−１、１１−１−２、…の仮設足場への装着が、人手で短時間に容易に、かつ安全に実施することが可能となる。
【０１１０】
一方、養生シート１１−１−１の上辺は折り返し部１１−１−１ａが設けられている。折り返し部１１−１−１ａにはスナップボタンのオス９０ｕａが所定の間隔（例えば、３０ｍｍ間隔）で設けられており、折り返し部１１−１−１ａの対向する部位には、予めスナップボタンのメス９０ｕｂが設けられており、メス９０ｕｂはオス９０ｕａに着脱可能に嵌合されている。折り返し部１１−１−１ａは、仮設足場側、すなわち作業員２００側に向くように設けられている。これは、作業員２００が折り返し部１１−１−１ａのスナップボタンのオス９０ｕａを外しやすくするためである。これにより折り返し部１１−１−１ａは、スナップボタンのオス９０ｕａをメス９０ｕｂから外して矢印Ｐ８方向に開くことができるのである。
【０１１１】
ここで、３００は養生シート１１−１−１の引き出し側中央に設けられた紐状部材であり、紐状部材３００の先端には引き出し部材３０１が設けられている。これは、養生シート１１−１−１が収納ボックス１１−７（１２−７）に巻き込まれた後、再度養生シート１１−１−１を引き出すための部材であり、紐状部材３００は紐、ロープ、ベルトのいずれであってもよい。引き出し部材３０１は、例えば樹脂製のリングが挙げられるが、樹脂製の球体であってもよい。
【０１１２】
図２２は、図２１のＸＸＩＩ−ＸＸＩＩ線断面図である。図２３は、図２１に示した養生シート１１−１−１と養生シート１１−１−２とを連結した状態を示す図である。
【０１１３】
図２２に示すように養生シート１１−１−１には、折り返し部１１−１−１ａ側だけでなく、直近（この場合真上）の養生シート１１−１−２の下辺及び養生シート１１−１−１の下辺にもスナップボタンのメス９０ｄが所定の間隔で設けられている。
【０１１４】
作業員２００は、真上の養生シート１１−１−２の下辺を仮設足場側（矢印Ｐ１０方向）に引いて開いた状態で、養生シート１１−１−１の折り返し部１１−１１−１ａを矢印Ｐ１１方向に押し、スナップボタンのオス９０ｕａを養生シート１１−１−２のスナップボタンのメス９０ｄに矢印Ｐ１２方向に嵌合することで養生シート１１−１−１の上辺と養生シート１１−１−２の下辺とが紐やロープを用いずに人手で簡単に連結することができる。すなわち、上下方向に装着された養生シートの上辺及び下辺を人手で容易に、かつ安全に連結させることができる。
【０１１５】
尚、上述した変形例において、養生シートの上辺にのみ折り返し部を設けた場合で説明したが、本発明はこれに限定されるものではなく養生シートの下辺もしくは上下両辺に折り返し部を設け、スナップボタンで脚柱に接続したり、上下の養生シートを連結したりしてもよい。
【０１１６】
＜変形例２＞
図２４は、図２に示した仮設足場に本発明に係る仮設足場用網状部材張り付け装置の他の変形例である。
【０１１７】
仮設足場には階段昇降部を用いる場合があり、その階段昇降部４００には同一平面状の板付き布枠５が無い。このような階段昇降部４００を臨む脚柱３−１は上述した収納ボックス１１−７（１２−７）を取り付けるのは困難な場合がある。
【０１１８】
そこで、階段昇降部４００を臨む脚柱３−１にＬ字断面形状の長尺状の鉄板を溶接し、一方の主面もしくは直交する他方の主面に所定の間隔でスナップボタンのメス９０ｂを設けておく。養生シート１１を収納ボックスから取り外し、養生シート１１の上辺、下辺、及び左右両面にスナップボタンのオス９０ａで着脱自在に接続するようにしてもよい。また、養生シート１１の上辺に折り返し部を設けたり、養生シートの下辺もしくは上下両辺に折り返し部を設け、スナップボタンで脚柱に接続したり、上下の養生シートを連結するようにしたりしてもよい。
【０１１９】
＜作用効果＞
以上より、本発明の一態様によれば、仮設足場用の網状部材を張り付ける作業において、脚柱もしくは一側足場に設けられた一方の収納ボックスからロール状に巻き回された網状部材を作業者が手で引き出して網状部材側の接続部を他方の収納ボックスの接続部に手で接続するだけで対向する脚柱間もしくは対向する一側足場間に張り付けることが容易にできる。これにより、作業員から見て左右の脚柱もしくは一側足場への紐結び作業が不要となる、張り付け、取り外しが可能となる。
【０１２０】
よって、作業員の転落防止、資材落下防止のための仮設足場用の養生シートの張り付け作業及び取り外し作業を、少ない作業員数でもって、容易に、したがって比較的に少ない作業時間しか要せずに、確実に行うことが可能となる。
【０１２１】
また、本発明の別態様によれば、少ない作業員数でもって、容易に、したがって比較的に少ない作業時間しか要せずに、確実に行うことのでき、かつ、足場の建地補強を兼ねることのできる仮設足場用網状部材張り付け装置が実現される。
【産業上の利用可能性】
【０１２２】
本発明に係る仮設足場用網状部材張り付け装置は、工業的に製造することができ、また商取引の対象とすることができるため、経済的価値を有しており、産業上利用することができる発明である。
【符号の説明】
【０１２３】
１・・・敷板
２・・・固定型ベース金具
３・・・建枠
３−１・・・脚柱（支柱）
３−２・・・横架材
４・・・交差筋交
５・・・板付き布枠
６・・・腕木
１１、１２、２１、２２、３１、３２、５０、５０−１、５０−２・・・仮設足場用網状部材張り付け装置
１１−１、２−１・・・養生シート
１１−２、１１−４、１２−２、１２−４、５３−１、５３−２・・・接続部
１１−７、１２−７、２１−７、２２−７、３１−７、３２−７・・・収納ボックス
１３−１、１４−１・・・Ｕ字ボルト
１３−２・・・プレート
１３−３・・・スプリングワッシャ
１３−４・・・ナット
４０・・・一側足場用ブラケット
５１−１、５１−２・・・転落防止用ネット
５４ａ−１、５４ｂ−１・・・ローラ対
５５−１・・・アイボルト
６０・・・クランクシャフト
９０・・・スナップボタン
１００−１、１００−２・・・仮設足場
１５０・・・Ｌ字断面形状の長尺状部材
２００・・・作業員
【図１】
2020117912.tif 000003
【図２】
2020117912.tif 000004
【図３Ａ】
2020117912.tif 000005
【図３Ｂ】
2020117912.tif 000006
【図３Ｃ】
2020117912.tif 000007
【図３Ｄ】
2020117912.tif 000008
【図３Ｅ】
2020117912.tif 000009
【図４Ａ】
2020117912.tif 000010
【図４Ｂ】
2020117912.tif 000011
【図５】
2020117912.tif 000012
【図６Ａ】
2020117912.tif 000013
【図６Ｂ】
2020117912.tif 000014
【図７】
2020117912.tif 000015
【図８】
2020117912.tif 000016
【図９】
2020117912.tif 000017
【図１０】
2020117912.tif 000018
【図１１】
2020117912.tif 000019
【図１２】
2020117912.tif 000020
【図１３】
2020117912.tif 000021
【図１４】
2020117912.tif 000022
【図１５】
2020117912.tif 000023
【図１６】
2020117912.tif 000024
【図１７】
2020117912.tif 000025
【図１８】
2020117912.tif 000026
【図１９】
2020117912.tif 000027
【図２０】
2020117912.tif 000028
【図２１】
2020117912.tif 000029
【図２２】
2020117912.tif 000030
【図２３】
2020117912.tif 000031
【図２４】
2020117912.tif 000032
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
仮設足場の一対の脚柱に固定もしくは着脱自在に設けられ略鉛直方向に長軸を有する第１及び第２の収納ボックスと、
前記第１の収納ボックスに収納され、軸の周りに巻きまわされ引き出し口から引き出し可能なロール状の網状部材と、
前記網状部材の前記引き出し口側の辺に設けられた第１の接続部と、前記第１の収納ボックスと対向する前記第２の収納ボックスに設けられ、前記第１の接続部が着脱自在に接続する第２の接続部とを有する接続容易化手段と
を備え、
前記接続容易化手段は、前記第１の接続部と前記第２の接続部との接続状態を解除することによる張られた状態の前記網状部材の撤収作業の容易化によって前記張られた状態の前記網状部材に対して突風もしくは暴風もしくは強風が立面に作用することを回避しつつ、前記第１の接続部が前記第２の接続部に接続されることによって前記網状部材の張り方の復旧作業を容易化するものである
ことを特徴とする仮設足場用網状部材張り付け装置。
【請求項２】
前記第１の収納ボックス及び／もしくは第２の収納ボックスは、その直上及び／もしくはその直下の収納ボックスと連結手段によって連結されて建地補強手段を構成することを特徴とする請求項１記載の仮設足場用網状部材張り付け装置。
【請求項３】
前記第１の接続部は、矢印断面形状の長尺状部材であり、
前記第２の接続部は、前記脚柱もしくは一側足場用ブラケットに設けられ、ほぼＬ字断面形状を有する固定部と、該固定部の基部に設けられた蝶番と、一端が該蝶番に設けられた可動部と、前記固定部の基部、前記蝶番、及び前記可動部に一体的に形成され、前記可動部を前記固定部に付勢する付勢手段と、前記可動部の他端に設けられた取手部材と、前記可動部の他端の内側及び前記固定部の内壁に形成された一対の突起部と、を備えたことを特徴とする請求項１もしくは２記載の仮設足場用網状部材張り付け装置。
【請求項４】
前記第１の接続部は前記第１の収納ボックスの長手方向に設けられた板状部材に貼り付けられた面ファスナーのループもしくはフックであり、前記他方の接続部は前記網状部材の長尺状部材に設けられた面ファスナーのフックもしくはループであることを特徴とする請求項１〜３のうち１項記載の仮設足場用網状部材張り付け装置。
【請求項５】
前記第１の接続部は前記第１の収納ボックスの長手方向に設けられた板状部材の長手方向に複数配置された回転軸と、
前記各軸の端部で回動自在な複数のノブと、を備え、
前記第２の接続部は前記ノブ及び前記軸が貫通可能な貫通孔が形成された他の板状部材と、を備えたことを特徴とする請求項１〜３のうち１項記載の仮設足場用網状部材張り付け装置。
【請求項６】
前記第１の接続部は、前記網状部材の少なくとも引き出し口側に設けられたスナップボタンのオスであり、
前記第２の接続部は、少なくとも前記第１の収納ボックスの前記引き出し口側の反対側に固定された長尺状部材に設けられたスナップボタンのメスであることを特徴とする請求項１〜３のうち１項記載の仮設足場用網状部材張り付け装置。
【請求項７】
前記網状部材の前記軸には巻き取り用のコイルバネが取り付けられていることを特徴とする請求項１〜３のうち１項記載の仮設足場用網状部材張り付け装置。
【請求項８】
前記脚柱側の前記網状部材は、養生シートであり、展開時に上側の辺及び下側の近傍に紐通し用の複数の貫通孔が形成されていることを特徴とする請求項１〜３のうち１項記載の仮設足場用網状部材張り付け装置。
【請求項９】
前記第１及び第２の収納ボックスは、前記脚柱とＵ字ボルト及びナット、クランプ、溶接、もしくは接着剤によって固定されることを特徴とする請求項１〜５のうちのいずれか一項記載の仮設足場用網状部材張り付け装置。
【請求項１０】
前記一側足場用ブラケット側の前記網状部材は、転落防止用ネットであることを特徴とする請求項３記載の仮設足場用網状部材張り付け装置。
【請求項１１】
前記転落防止用ネットの中心軸は、クランクシャフトで回転可能であることを特徴とする請求項１０に記載の仮設足場用網状部材張り付け装置。
【請求項１２】
前記網状部材としての転落防止用ネットの前記第１の収納ボックス内の引き出し口の近傍には、前記転落防止用ネットを挟むようにローラ対が設けられていることを特徴とする請求項１０に記載の仮設足場用網状部材張り付け装置。
【請求項１３】
前記養生シートの上辺、下辺、もしくは上下両辺には折り返し部が設けられ、前記折り返し部には所定の間隔でスナップボタンのオスが設けられ、前記スナップボタンのオスは、前記養生シートの折り返し部の対抗する部位及び前記養生シートの下辺に前記スナップボタンのメスが設けられており、前記オスは前記メスと着脱自在に嵌合しており、前記折り返し部を開いた状態で連結するようにしたことを特徴とする請求項８に記載の仮設足場用網状部材張り付け装置。
【請求項１４】
前記網状部材は、前記第１の収納ボックスから取り外し可能であり、前記網状部材の上下左右両辺にスナップボタンのオスを所定の間隔で設けておき、予め隣接する脚柱の側壁に長手方向にＬ字断面形状の鉄板を取り付けるとともに前記鉄板に所定の間隔で前記スナップボタンのメスを設けておき、左右両辺と脚柱とを着脱自在に嵌合するようにしたことを特徴とする請求項９に記載の仮設足場用網状部材張り付け装置。
【手続補正２】
【補正対象書類名】明細書
【補正対象項目名】０００８
【補正方法】変更
【補正の内容】
【０００８】
一対の敷板１の上に固定型ベース金具２を有する建枠３が縦横に設置され、建枠３の脚柱３−１間には交差筋交４が設けられている。対向する建枠３の横架材３−２には板付き布枠５が配置されている。
【手続補正３】
【補正対象書類名】明細書
【補正対象項目名】００５４
【補正方法】変更
【補正の内容】
【００５４】
建枠３は、鉛直に配置される一対の脚柱３−１と、両脚柱３−１の頂点間に水平に橋渡しするように接合された横架材３−２と、両脚柱３−１の内側に両脚柱３−１に沿うように接合されたＪ字形状の補剛材３−６と、横架材３-２と並行に横架材３−２の下側に両補剛材３−６にかけ渡された補剛材（水平補剛材）３−３と、両脚柱３−１と補剛材３−６との間に接合された補剛材（水平補剛材）３−４と、両脚柱３−１の内側に設けられた交差筋交ピン３−５と、を備えて構成されている。建枠３のサイズは、例えば６１０×１７００ｍｍ、９１４ｍｍ×１７００ｍｍ、１２１９×１７００ｍｍが挙げられる。